(57)【要約】【課題】  セルフカスタマイズ眼鏡を提供する。【解決手段】  本発明は、セルフカスタマイズ眼鏡であって、眼鏡の主な部位をセルフカスタマイズで組み立てることができ、眼鏡を構成する主な部位の色相や模様、デザインを着用者が任意に取ることができて、眼鏡のすべての形状もまた着用者の好みに合うように自分で選ぶことができ、眼鏡をリムレスやハーフリム、フルリムの感じで表現可能にする。また、これらに加えて、眼鏡リムがハーフリムやフルリムであっても、リムを問わずに、着用者が眼鏡を表現したいデザインと形状を創作表現することができる。さらに、本発明は透明マイクロＬＥＤディスプレイスキンを、眼鏡を構成する主な部位に被覆して構成することから、眼鏡テンプル、ブリッジ、眼鏡リム、眼鏡レンズの色相や模様を眼鏡の着用者が希望する通りに選んだり変更したりでき、眼鏡レンズの機能もまた種々に実現することができる。特に、マイクロＬＥＤディスプレイスキンを眼鏡レンズにのみ適用したり、眼鏡レンズ及び眼鏡リムの両方に適用したりできるので、眼鏡レンズや眼鏡リムの全体の色相や表現デザインを瞬時に変更することができる。【選択図】  図７
2021521475.tif 000002
【特許請求の範囲】
【請求項１】
眼鏡において、
一対の眼鏡レンズ（１２）と、左右のレンズ連結頭部（６）につながった左右の眼鏡テンプル（４）と、鼻当て（８）と、が含まれ、左右の眼鏡レンズ（１２）を共同でつなぐブリッジ部（１０）が独立して分離及び磁力による組み立て固定が可能なように構成し、
左右のレンズ連結頭部（６）の各一方の側部及びブリッジ部（１０）の左右の側部には磁石（１７、１５）が埋め込まれるように構成し、眼鏡レンズ（１２）を保持できるように磁石（１７、１５）に磁石の引力が働く磁石（１７、１５）を有する頭部用及びブリッジ用の磁石固定部材（６ａ、１０ａ）が別設され、
左右のレンズ連結頭部（６）がつながった左右の眼鏡テンプル（４）とブリッジ（１０）と眼鏡レンズ（１２）のうちのいずれか一つ以上には、透明マイクロＬＥＤディスプレイスキン（２０）が被覆されるように形成することを特徴とするセルフカスタマイズ眼鏡。
【請求項２】
眼鏡レンズ（１２）を磁力で保持する左右のレンズ連結頭部（６）と頭部用の磁石固定部材（６ａ）、及びブリッジ部（１０）とブリッジ用の磁石固定部材（１０ａ）は、繋ぎ紐（６２）でそれぞれつながるように構成することを特徴とする請求項１に記載のセルフカスタマイズ眼鏡。
【請求項３】
眼鏡において、
一対の眼鏡レンズ（１２）と、左右のレンズ連結頭部（６）につながった左右の眼鏡テンプル（４）と、鼻当て（８）と、が含まれ、左右の眼鏡レンズ（１２）を共同でつなぐブリッジ部（１０）が独立して分離及び磁力による組み立て固定が可能なように構成し、
左右のレンズ連結頭部（６）の各一方の側部及びブリッジ部（１０）の左右の側部には磁石（１７、１５）が埋め込まれた磁力付着溝部(１６、１４）が配備されるように構成し、
眼鏡レンズ（１２）の周縁には磁力部材（１８）が形成されるように構成して、磁力部材（１８）を有する眼鏡レンズ（１２）が磁力付着溝部（１６、１４）に嵌め込まれて磁力で固定されるようにし、
左右のレンズ連結頭部（６）がつながった左右の眼鏡テンプル（４）とブリッジ（１０）と眼鏡レンズ（１２）のうちのいずれか一つ以上には、透明マイクロＬＥＤディスプレイスキン（２０）が被覆されるように形成することを特徴とするセルフカスタマイズ眼鏡。
【請求項４】
眼鏡レンズ（１２）の磁力部材（１８）は、帯状にレンズの表面にコーティング形成された透明磁石膜（１８ａ）及び眼鏡レンズ（１２）の左右の両側（ｆ）の端部に配列植込された磁性片（１８ｂ）のうちのどちらか一方で構成することを特徴とする請求項３に記載のセルフカスタマイズ眼鏡。
【請求項５】
眼鏡レンズ（１２）に形成された透明マイクロＬＥＤディスプレイスキン（２０）は、リムの感じを与えるために、眼鏡レンズ（１２）の外周部に形成されるように構成することを特徴とする請求項１または３に記載のセルフカスタマイズ眼鏡。
【請求項６】
セルフカスタマイズ眼鏡において、
一対の眼鏡レンズ（１２）と、左右のレンズ連結頭部（６）につながった左右の眼鏡テンプル（４）と、鼻当て（８）と、が含まれ、左右の眼鏡レンズ（１２）を共同でつなぐブリッジ部（１０）が独立して分離及び磁力による組み立て固定が可能なように構成し、
左右のレンズ連結頭部（６）の各一方の側部及びブリッジ部（１０）の左右の側部には磁石（１７、１５）が埋め込まれるように構成し、眼鏡レンズ（１２）を保持できるように左右のレンズ連結頭部（６）の磁石（１７）及びブリッジ部（１０）の磁石（１５）にそれぞれ磁石の引力が働く頭部用及びブリッジ用の磁石固定部材（６ａ、１０ａ）が別設されるように構成することを特徴とするセルフカスタマイズ眼鏡。
【請求項７】
眼鏡レンズ（１２）を磁力で保持する左右のレンズ連結頭部（６）の内面と頭部用の磁石固定部材（６ａ）の内面、及びブリッジ部（１０）の内面とブリッジ用の磁石固定部材（１０ａ）の内面は平らに面接触するように構成するか、あるいは、左右のレンズ連結頭部（６）の内面と頭部用の磁石固定部材（６ａ）の内面との間、及びブリッジ部（１０）の内面とブリッジ用の磁石固定部材（１０ａ）の内面との間には、相互間の整合のための整合凹凸部（１９）が形成されるように構成することを特徴とする請求項６に記載のセルフカスタマイズ眼鏡。
【請求項８】
セルフカスタマイズ眼鏡において、
一対の眼鏡レンズ（１２）と、左右のレンズ連結頭部（６）につながった左右の眼鏡テンプル（４）と、鼻当て（８）と、が含まれ、左右の眼鏡レンズ（１２）を共同でつなぐブリッジ部（１０）が独立して分離及び磁力による組み立て固定が可能なように構成し、
左右のレンズ連結頭部（６）の各一方の側部及びブリッジ部（１０）の左右の側部には磁石（１７、１５）が埋め込まれた磁力付着溝部(１６、１４）が配備されるように構成し、
眼鏡レンズ（１２）の周縁には磁力部材（１８）が形成されるように構成して、磁力部材（１８）を有する眼鏡レンズ（１２）が磁力付着溝部（１６、１４）に嵌め込まれて磁力で固定されるように構成することを特徴とするセルフカスタマイズ眼鏡。
【請求項９】
眼鏡レンズ（１２）の磁力部材（１８）は、帯状にレンズの表面にコーティング形成された透明磁石膜（１８ａ）及び眼鏡レンズ（１２）の左右の両側（ｆ）の端部に配列植込された磁性片（１８ｂ）のうちのどちらか一方で構成することを特徴とする請求項８に記載のセルフカスタマイズ眼鏡。
【請求項１０】
セルフカスタマイズ眼鏡において、
眼鏡テンプルとつながる左右の半割れ眼鏡リム（２１０）を有し、ブリッジ部に切断面が形成されるように構成し、半割れブリッジ切断壁面には磁石（２１２）が埋め込まれて互いに磁力で止着されるように構成される眼鏡レンズ（１２）は、左右の半割れ眼鏡リム（２１０）の各嵌合溝に磁力により取着られるように構成することを特徴とするセルフカスタマイズ眼鏡。
【請求項１１】
セルフカスタマイズ眼鏡において、
一対の眼鏡レンズ（１２）と、左右のレンズ連結頭部（６）につながった左右の眼鏡テンプル（４）と、鼻当て（８）と、が含まれ、左右の眼鏡レンズ（１２）を共同でつなぐブリッジ部（１０）が独立して分離及び磁力による組み立て固定が可能なように構成し、
左右の眼鏡レンズ（１２）には、外部に色相及びデザインをディスプレイ表現可能な透明マイクロＬＥＤディスプレイスキン（２０）を無線で制御するための本体マスター部（３０）と、透明マイクロＬＥＤディスプレイスキン（２０）を駆動するための遠隔スレーブ（５０）とが眼鏡本体に配備されるように構成することを特徴とするセルフカスタマイズ眼鏡。
【請求項１２】
左右のレンズ連結頭部（６）の各一方の側部及びブリッジ部（１０）の左右の側部には磁石（１７、１５）が埋め込まれるように構成し、眼鏡レンズ（１２）を保持できるように左右のレンズ連結頭部（６）の磁石（１７）及びブリッジ部（１０）の磁石（１５）にそれぞれ磁力が働く頭部用及びブリッジ用の磁石固定部材（６ａ、１０ａ）が別設されることを特徴とする請求項１１に記載のセルフカスタマイズ眼鏡。
【請求項１３】
本体マスター部（３０）は、スマートフォン（６０）と近距離無線通信方式で無線接続され、スマートフォン（６０）にダウンロードされた眼鏡レンズのデザイン及び色相のモバイルアプリケーションの駆動に伴うデザイン及び色相の制御指令に従い、眼鏡レンズ（１２）の透明マイクロＬＥＤディスプレイスキン（２０）の色相及びデザインが表現されるように無線制御を行うことを特徴とする請求項１１に記載のセルフカスタマイズ眼鏡。
【請求項１４】
セルフカスタマイズ眼鏡において、
一対の眼鏡レンズ（１２）と、左右のレンズ連結頭部（６）につながった左右の眼鏡テンプル（４）と、鼻当て（８）と、が含まれ、左右の眼鏡レンズ（１２）を共同でつなぐブリッジ部（１０）が独立して分離及び磁力による組み立て固定が可能なように構成し、
左右の眼鏡レンズ（１２）に上覆い可能な構造の左右の上覆いレンズ（１１）をさらに備え、上覆いレンズ（１１）には透明マイクロＬＥＤディスプレイスキン（２０）が被覆されるように形成し、
透明マイクロＬＥＤディスプレイスキン（２０）を無線で制御するための本体マスター部（３０）と、透明マイクロＬＥＤディスプレイスキン（２０）を駆動するための遠隔スレーブ（５０）とが眼鏡本体に配備されるように構成することを特徴とするセルフカスタマイズ眼鏡。
【請求項１５】
セルフカスタマイズ眼鏡において、
一対の眼鏡レンズ（１２）と、左右のレンズ連結頭部（６）につながった左右の眼鏡テンプル（４）と、鼻当て（８）と、が含まれ、左右の眼鏡レンズ（１２）を共同でつなぐブリッジ部（１０）が独立して分離及び磁力による組み立て固定が可能なように構成し、
左右の眼鏡リム（７０）に結合された眼鏡レンズ（１２）には、外部に色相及びデザインがディスプレイ表現可能な透明マイクロＬＥＤディスプレイスキン（２０）が被覆されるように形成し、
透明マイクロＬＥＤディスプレイスキン（２０）を無線で制御するための本体マスター部（３０）が眼鏡テンプル（４）に配備され、透明マイクロＬＥＤディスプレイスキン（２０）を駆動するための遠隔スレーブ（５０）が眼鏡リム（７０）に配備されるように構成することを特徴とするセルフカスタマイズ眼鏡。
【請求項１６】
左右の眼鏡リム（７０）のそれぞれは、磁力による分離及び組み立て固定が可能なようにカスタマイズリムのタイプに構成することを特徴とする請求項１５に記載のセルフカスタマイズ眼鏡。
【請求項１７】
眼鏡リム（７０）は、外部に色相及びデザインがディスプレイ表現可能な透明マイクロＬＥＤディスプレイスキン（２０）をさらに備えることを特徴とする請求項１５または１６に記載のセルフカスタマイズ眼鏡。
【発明の詳細な説明】
【技術分野】
【０００１】
本発明は、眼鏡に関し、特に、眼鏡を構成する主な部位の色相や模様、レンズの大きさを着用者が自ら自由に選んで着用者の個性と好みに合わせることができ、着用者本人の創作デザインを可能にするセルフカスタマイズ眼鏡に関する。
【背景技術】
【０００２】
近年、眼鏡は大勢の人々が種々の目的で着用している。視力補正用や視力保護用に主として着用しており、最近には、自分だけの個性を表現したがる時代のトレンドに合うデザインと本人のファッションや周りの環境や周りの雰囲気に似合うための小品としても広く活用されている。
【０００３】
眼鏡は、微妙な違いにより着用者の感じと周りの雰囲気が大きく異なるため、今日、ファッションや周りの雰囲気に似合う眼鏡を着用者本人の創作デザインでセットすることができ、且つ、最近のトレンドに合い、時代を先駆する様々な眼鏡のデザインが実現可能であるならば、数百年の眼鏡の歴史上で革新的なことであり、大勢の人々から大きな呼応が得られる筈である。
【０００４】
また、これまでの眼鏡は、眼鏡メーカーが作っておいた少なくとも数百個から数千個のデザインの製品の中で、着用者が選んで着用しただけであった。ところが、同じデザインの製品ではなく着用者にとっては世界に唯一の自分だけのデザインの眼鏡を実現したり、色々な眼鏡の機能が眼鏡レンズなどを介して実現したりすることが誰か一人でもできれば、個性を追い求め、機能性をも重視する現代人は大きく呼応する筈である。なお、眼鏡が眼鏡に関する既存の固定観念を無くす画期的なものであれば、眼鏡の着用者だけではなく、眼鏡製品に携わる者から大きな呼応が得られる筈である。
【０００５】
さらに、眼鏡の縁（リム）や眼鏡の腕（テンプル）、必要に応じては、眼鏡レンズの一部まで単に色が付けられたわけではなく、途中で途切れていたり、彩度や模様が変わったりすれば、消費者から多くの関心を引き寄せることができる筈である。
【発明の概要】
【発明が解決しようとする課題】
【０００６】
したがって、本発明の目的は、眼鏡を構成する主な部位であって、眼鏡テンプル、ブリッジ、眼鏡リム、眼鏡レンズの色相や模様を着用者が所望の通りに選ぶことができ、着用者の好みと個性に合う創作眼鏡デザインにすることのできるセルフカスタマイズ眼鏡を提供することである。
【０００７】
本発明の他の目的は、長時間にわたっての着用でも不便さを感じないほどに軽いながらも、着用者の好みに合うデザインとリムレスやハーフリム、フルリムなどの感じを持たせることのできるセルフカスタマイズ眼鏡を提供することである。
【０００８】
本発明のさらに他の目的は、眼鏡レンズの色相や大きさ、形状を瞬時に変更することができ、眼鏡リムの有無に関わらず着用者が眼鏡を着用していながら着用者が表示したい眼鏡リム及びレンズの表現を色々なデザインに変更できるようにし、着用者本人の創作デザインがユニークに発現するセルフカスタマイズ眼鏡を提供することである。
【０００９】
本発明のさらに他の目的は、眼鏡レンズを昼間や夜間における視力保護、道路や海辺、雪上などの周りの環境からの視力保護機能や視力矯正用途にも使用できるようにするセルフカスタマイズ眼鏡を提供することである。
【課題を解決するための手段】
【００１０】
上述した目的を達成するために案出された本発明は、一対の眼鏡レンズ１２と、左右のレンズ連結頭部６につながった左右の眼鏡テンプル４と、鼻当て（鼻パッド）８とを含む眼鏡において、左右の眼鏡レンズ１２を共同でつなぐブリッジ部１０が独立して互いに分離及び磁力による組み立て固定が可能なように構成するが、左右のレンズ連結頭部６の各一方の側部及びブリッジ部１０の左右の側部には磁石１７、１５に磁石の引力が働く磁石１７、１５を有する頭部用及びブリッジ用の磁石固定部材６ａ、１０ａが別設され、左右の眼鏡テンプル４と、ブリッジ部１０及び眼鏡レンズ１２のうちのいずれか一つ以上には透明マイクロＬＥＤディスプレイスキン２０が被覆されるように形成することを特徴とする。
【００１１】
また、本発明の他の見地によれば、一対の眼鏡レンズ１２と、左右のレンズ連結頭部６につながった左右の眼鏡テンプル４と、鼻当てとを含む眼鏡において、左右の眼鏡レンズ１２を共同でつなぐブリッジ部１０が独立して互いに分離及び磁力による組み立て固定が可能なように構成するが、左右のレンズ連結頭部６の各一方の側部及びブリッジ部１０の左右の側部には磁石１７、１５の埋め込まれた磁力付着溝部１６、１４が配備されるように構成し、眼鏡レンズ１２の周縁には磁力部材１８が形成されるように構成して、磁力部材１８を有する眼鏡レンズ１２が磁力付着溝部１６、１４に嵌め込まれて磁力で固定されるようにし、左右の眼鏡テンプル４と、ブリッジ部１０及び眼鏡レンズ１２のうちのいずれか一つ以上には透明マイクロＬＥＤディスプレイスキン２０が被覆されるように形成することを特徴とする。
【００１２】
さらに、本発明のさらに他の見地によれば、一対の眼鏡レンズ１２と、左右のレンズ連結頭部６につながった左右の眼鏡テンプル４と、鼻当てとを含む眼鏡において、左右の眼鏡レンズ１２を共同でつなぐブリッジ部１０が独立して互いに分離及び磁力による組み立て固定が可能なように構成するが、左右のレンズ連結頭部６の各一方の側部及びブリッジ部１０の左右の側部には磁石１７、１５が埋め込まれるように構成し、眼鏡レンズ１２を保持できるように、磁石１７、１５に磁石の引力が働く磁石１７、１５を有する頭部用及びブリッジ用の磁石固定部材６ａ、１０ａが別設されるように構成することを特徴とする。このとき、眼鏡レンズ１２を磁力で保持する左右のレンズ連結頭部６の内面と頭部用の磁石固定部材６ａの内面、及びブリッジ部１０の内面とブリッジ用の磁石固定部材１０ａの内面は平らに面接触するように構成するか、あるいは、左右のレンズ連結頭部６の内面と頭部用の磁石固定部材６ａの内面、及びブリッジ部１０の内面とブリッジ用の磁石固定部材１０ａの内面には相互間の整合のための整合凹凸部１９が形成されるように構成することを特徴とする。
【００１３】
さらにまた、本発明のさらに他の見地によれば、一対の眼鏡レンズ１２と、左右のレンズ連結頭部６につながった左右の眼鏡テンプル４と、鼻当てとを含む眼鏡において、左右の眼鏡レンズ１２を共同でつなぐブリッジ部１０が独立して互いに分離及び磁力による組み立て固定が可能なように構成するが、左右のレンズ連結頭部６の各一方の側部及びブリッジ部１０の左右の側部には磁石１７、１５の埋め込まれた磁力付着溝部１６、１４が配備されるように構成し、眼鏡レンズ１２の周縁には磁力部材１８が形成されるように構成して、磁力部材１８を有する眼鏡レンズ１２が磁力付着溝部１６、１４に嵌め込まれて磁力で固定されるように構成することを特徴とする。
【００１４】
本発明のさらに他の見地による眼鏡レンズ１２の磁力部材１８は、帯状にレンズの表面にコーティング形成された透明磁石膜１８ａ及び眼鏡レンズ１２の左右の両側ｆの端部に配列植込された磁性片１８ｂのうちのどちらか一方で構成することを特徴とする。
【００１５】
本発明のさらに他の見地によれば、セルフカスタマイズ眼鏡において、眼鏡テンプルとつながる左右の半割れ眼鏡リム２１０がブリッジ部に切断面が形成されるように構成し、半割れブリッジ切断壁面には磁石２１２が埋め込まれて互いに磁力で止着されるように構成され、眼鏡レンズ１２は、左右の半割れ眼鏡リム２１０の各嵌合溝に磁力により取着られるように構成することを特徴とする。
【００１６】
また、本発明のさらに他の見地によれば、一対の眼鏡レンズ１２と、左右のレンズ連結頭部６につながった左右の眼鏡テンプル４と、鼻当てとを含む眼鏡において、左右の眼鏡レンズ１２を共同でつなぐブリッジ部１０が独立して互いに分離及び磁力による組み立て固定が可能なように構成するが、左右の眼鏡レンズ１２には、外部に色相及びデザインがディスプレイ可能な透明マイクロＬＥＤディスプレイスキン２０が被覆されるように形成し、透明マイクロＬＥＤディスプレイスキン２０を無線で制御するための本体マスター部３０と、透明マイクロＬＥＤディスプレイがスキン２０を駆動するための遠隔スレーブ５０と、が眼鏡本体に配備されるように構成することを特徴とするセルフカスタマイズ眼鏡２である。
【００１７】
さらに、本発明は、さらに好ましくは、左右のレンズ連結頭部６の各一方の側部及びブリッジ部１０の左右の側部には磁石１７、１５が埋め込まれるように構成し、眼鏡レンズ１２を保持できるように左右のレンズ連結頭部６の磁石１７及びブリッジ部１０の磁石１５にそれぞれ磁力が働く頭部用及びブリッジ用の磁石固定部材６ａ、１０ａが別設されることを特徴とする。
【００１８】
また、本発明において、本体マスター部３０は、スマートフォン６０と近距離無線通信方式で無線接続され、スマートフォン６０にダウンロードされた眼鏡レンズのデザイン及び色相のモバイルアプリケーションの駆動に伴うデザイン及び色相の制御指令に従い、眼鏡レンズ１２の透明マイクロＬＥＤディスプレイスキン２０の色相及びデザインが表現されるように無線制御を行うことを特徴とする
【００１９】
さらに、本発明のさらに他の見地によれば、セルフカスタマイズ眼鏡２の外部の光の明るさを検出するための光検出部４８を本体マスター部３０及び遠隔スレーブ５０のうちのどちらか一方以上に備えてセルフカスタマイズ眼鏡２に印加される外部光量の感知に基づいて、本体マスター部３０と遠隔スレーブ５０によるマイクロＬＥＤ透明ディスプレイスキン２０のディスプレイの輝度が制御されるように構成することを特徴とする。
【００２０】
さらにまた、本発明のさらに他の見地によれば、一対の眼鏡レンズ１２と、左右のレンズ連結頭部６につながった左右の眼鏡テンプル４と、鼻当てとを含む眼鏡において、左右の眼鏡レンズ１２を共同でつなぐブリッジ部１０が独立して分離及び磁力による組み立て固定が可能なように構成するが、左右の眼鏡レンズ１２に上覆い可能な構造の左右の上覆いレンズ１１をさらに備えるが、上覆いレンズ１１には透明マイクロＬＥＤディスプレイスキン２０が被覆されるように形成し、透明マイクロＬＥＤディスプレイスキン２０を無線で制御するための本体マスター部３０と、透明マイクロＬＥＤディスプレイスキン２０を駆動するための遠隔スレーブ５０とが眼鏡本体に配備されるように構成することを特徴とする。
【００２１】
さらにまた、本発明のさらに他の見地によれば、一対の眼鏡レンズ１２と、左右のレンズ連結頭部６につながった左右の眼鏡テンプル４と、鼻当てとを含むセルフカスタマイズ眼鏡において、左右の眼鏡レンズ１２を共同でつなぐブリッジ部１０が独立して互いに分離及び磁力による組み立て固定が可能なように構成するが、左右の眼鏡リム７０に結合された眼鏡レンズ１２には、外部に色相及びデザインがディスプレイ表現可能な透明マイクロＬＥＤディスプレイスキン２０を無線で制御するための本体マスター部３０が眼鏡テンプル４に配備され、透明マイクロＬＥＤディスプレイスキン２０を駆動するための遠隔スレーブ５０が眼鏡リム７０に配備されるように構成することを特徴とする。
【００２２】
本発明のさらに他の見地による左右の眼鏡リム７０のそれぞれは、磁力による分離及び組み立てが可能なようにカスタマイズリムのタイプに構成してもよい。
【００２３】
また、眼鏡リム７０は、外部に色相及びデザインがディスプレイ表現可能な透明マイクロＬＥＤディスプレイスキン２０をさらに備えていてもよい。
【発明の効果】
【００２４】
本発明は、カスタマイズ組み立てタイプの適用やマイクロＬＥＤディスプレイスキンの各部の適用のうちの少なくとも一方以上を通じて眼鏡を構成する主な部位の色相や模様、デザインを着用者が任意に取ることができて、眼鏡のすべてのタイプで着用者の好みに合うように自分で選ぶことができ、リムレス状態の眼鏡であっても、リムレスやハーフリム、フルリムの感じが表現可能であるというメリットがある。それだけではなく、眼鏡リムがハーフリムやフルリムであっても、リムを問わずに、着用者が眼鏡を表現したいデザインと形状を創作表現することができるというメリットがある。
【００２５】
また、本発明は、眼鏡を構成する主な部位であって、眼鏡テンプル、ブリッジ、眼鏡リム、眼鏡レンズの色相や模様を着用者が所望の通りに選んだり変更したりでき、眼鏡レンズの機能もまた種々に実現することができる。特に、マイクロＬＥＤディスプレイスキンを眼鏡レンズにのみ適用したり、眼鏡レンズ及び眼鏡リムの両方に適用したりできるので、眼鏡レンズや眼鏡リムの全体の色相や表現デザインを瞬時に変更することができ、眼鏡レンズを昼間や夜間における視力保護、道路や海辺、雪上などの周りの環境からの視力保護機能やピンホール眼鏡（ｐｉｎｈｏｌｅ  ｇｌａｓｓｅｓ）のようなピンホール効果を利用した視力矯正用途にも使用することができるというメリットがある。
【図面の簡単な説明】
【００２６】
【図１】本発明の第１の実施形態によるカスタマイズ眼鏡レンズを磁力で固定するレンズ連結頭部及びブリッジ部の斜視構成図である。
【図２】図１の分解斜視構成図。
【図３】左右の各眼鏡レンズの左右の両側端部に存在する磁力部材を示す図。
【図４】図２に示す眼鏡レンズの透明磁石膜がレンズ連結頭部の磁力付着溝部の内側壁に埋め込まれた磁石に磁力で固定されたセルフカスタマイズ眼鏡の側断面図。
【図５】図３に示す眼鏡レンズの磁性片がレンズ連結頭部の磁力付着溝部の内側壁に埋め込まれた磁石に磁力で固定されたセルフカスタマイズ眼鏡の側断面図。
【図６】本発明の第１の実施形態による眼鏡レンズを磁力で固定するレンズ連結頭部及びブリッジ部の分離平断面図。
【図７】本発明によりファッション眼鏡の外表面に透明マイクロＬＥＤディスプレイスキンが被覆されるように形成されることを説明するための図。
【図８】本発明の実施形態に適用された透明マイクロＬＥＤディスプレイスキンの構成例示図。
【図９】本発明に適用される透明マイクロＬＥＤディスプレイスキンの駆動の一例の写真。
【図１０】本発明によりセルフカスタマイズ眼鏡の眼鏡テンプルに組み込まれた本体マスター部の回路ブロック構成図。
【図１１】本発明の第１の実施形態によりセルフカスタマイズ眼鏡の眼鏡レンズ及びレンズ連結頭部に形成された遠隔スレーブの回路ブロック構成図。
【図１２】本発明によるセルフカスタマイズ眼鏡とスマートフォンとの間の眼鏡のデザイン及び色相の変更のための制御構成図。
【図１３】本発明の第２の実施形態によるハーフリム眼鏡に適用した斜視構成図。
【図１４】本発明の第３の実施形態によるセルフカスタマイズ眼鏡の斜視構成図。
【図１５】図１４の要部の分解斜視図。
【図１６】図１４のレンズ連結頭部の縦断面構成図。
【図１７】本発明の第３の実施形態によるセルフカスタマイズ眼鏡におけるレンズ連結頭部及びブリッジ部の平断面構成図。
【図１８】本発明の第４の実施形態によるセルフカスタマイズ眼鏡の斜視構成図。
【図１９】図１８の要部の分解斜視図。
【図２０】図１８のレンズ連結頭部の縦断面構成図。
【図２１】本発明の第４の実施形態によるセルフカスタマイズ眼鏡におけるレンズ連結頭部及びブリッジ部の部分平断面構成図。
【図２２】本発明の第５の実施形態によるセルフカスタマイズ眼鏡の組立状態の斜視構成図。
【図２３】本発明の第５の実施形態によるセルフカスタマイズ眼鏡の要部の分解斜視図。
【図２４】本発明の第５の実施形態によるセルフカスタマイズ眼鏡のレンズ連結頭部の縦断面構成図。
【図２５】本発明の第５の実施形態によるセルフカスタマイズ眼鏡におけるレンズ連結頭部及びブリッジ部の部分平断面の分解構成図。
【図２６】本発明の第５の実施形態によるセルフカスタマイズ眼鏡の全体の平断面構成図。
【図２７】本発明の第６の実施形態によるセルフカスタマイズ眼鏡の組立状態の斜視構成図。
【図２８】図２７の分解斜視構成図。
【図２９】本発明の第６の実施形態における眼鏡レンズの変形例示図。
【図３０】図２７に示す眼鏡レンズを磁力で固定したセルフカスタマイズ眼鏡の側断面図。
【図３１】本発明の第７の実施形態における図２９に示す眼鏡レンズを磁力で固定したセルフカスタマイズ眼鏡の側断面図。
【図３２】本発明の第６の実施形態によるセルフカスタマイズ眼鏡におけるレンズ連結頭部及びブリッジ部の部分平断面構成図。
【図３３】本発明の第４の実施形態の変形例示であって、ハーフリム眼鏡またはフルリム眼鏡に適用した例示構成図。
【図３４】本発明の第７の実施形態によるセルフカスタマイズ眼鏡の分解斜視構成図。
【図３５】本発明の第８の実施形態によるセルフカスタマイズ眼鏡の組立状態の斜視構成図。
【図３６】本発明の第８の実施形態によるセルフカスタマイズ眼鏡の拡大状態の斜視構成図。
【図３７】図３６の分解斜視構成図。
【図３８】図３６に示すセルフカスタマイズ眼鏡の横断面構成図。
【図３９】本発明の第８の実施形態によるセルフカスタマイズ眼鏡のレンズ連結頭部の縦断面構成図。
【図４０】本発明の第８の実施形態によるセルフカスタマイズ眼鏡におけるレンズ連結頭部及びブリッジ部の部分平断面の分解構成図。
【図４１】本発明の第８の実施形態によるセルフカスタマイズマイクロＬＥＤ眼鏡において、眼鏡レンズの外表面に透明マイクロＬＥＤディスプレイスキンが被覆されるように形成されることを説明するための図。
【図４２】本発明の第８の実施形態によりセルフカスタマイズ眼鏡の眼鏡テンプルに組み込まれた本体マスター部の回路ブロック構成図。
【図４３】本発明の第８の実施形態によりセルフカスタマイズ眼鏡の眼鏡レンズに配備された遠隔スレーブの回路ブロック構成図。
【図４４】本発明の第８の実施形態によるセルフカスタマイズ眼鏡とスマートフォンとの間の眼鏡レンズのデザイン及び色相の変更のための遠隔制御概略構成図。
【図４５】本発明の第８の実施形態によりサングラスなどカラーが付けられた状態のセルフカスタマイズ眼鏡の例示構成図。
【図４６】本発明の第８の実施形態により眼鏡レンズに眼鏡リムが表現された状態のセルフカスタマイズ眼鏡の例示構成図。
【図４７】本発明の第８の実施形態により眼鏡レンズに着用者が好む図形が表現されたセルフカスタマイズ眼鏡の例示構成図。
【図４８】本発明の第８の実施形態によりピンホール眼鏡など視力矯正用の用途に実現したセルフカスタマイズ眼鏡の例示構成図。
【図４９】本発明の第８の実施形態により透明マイクロＬＥＤディスプレイスキンが被覆された上覆いレンズを用いたセルフカスタマイズ眼鏡の例示構成図。
【図５０】本発明の第９の実施形態によるセルフカスタマイズ眼鏡の組立状態の斜視構成図。
【図５１】図５０の分解斜視構成図。
【図５２】本発明の第９の実施形態によるセルフカスタマイズ眼鏡の横断面構成図。
【図５３】本発明の第１０の実施形態によるセルフカスタマイズ眼鏡の分解斜視構成図。
【発明を実施するための形態】
【００２７】
本発明においては、眼鏡の微妙な違いにより、その着用者の感じは大きく異なるため、今日、ファッションや周りの雰囲気に似合う眼鏡を着用者本人の創作デザインでセットできるようにし、最近流行っているトレンドに合う様々な眼鏡のデザインが現われるように実現する。すなわち、眼鏡リムや眼鏡テンプル、眼鏡レンズの模様や形状やカラーなどを時と場所を問わずに非常に短い時間内に新たな眼鏡のタイプに変形して着用することを可能にする。眼鏡リムや眼鏡テンプルが単に色相が付けられたものではなく、途中で色や模様や彩度も変化できるようにするなど、これまでの眼鏡のタイプとして存在しなかった着用者の状況に適した役割と効果を出せる新たな概念の眼鏡となるようにする。なお、着用者が任意にデザインの創作を演出することができて、世界で唯一のファッション眼鏡となるので、セルフカスタマイズ眼鏡の概念を画期的に変えて、消費者から大きな呼応を得る。
【００２８】
このために、本発明においては、眼鏡構成品の分離及び組み立てと、色相または模様の変色や変更が可能なように実現され、かつ、外部に露出される眼鏡の主な部分に透明マイクロＬＥＤディスプレイスキンが被覆されたセルフカスタマイズ眼鏡を実現する。
【００２９】
図１は、本発明の第１の実施形態によるセルフカスタマイズ眼鏡２の組立状態の斜視構成図であり、図２は、図１の分解斜視構成図である。また、図６は、本発明の第１の実施形態による眼鏡レンズ１２を磁力で固定するレンズ連結頭部６及びブリッジ部１０の分離平断面図である。
【００３０】
図１及び図２に示す本発明の第１の実施形態によるセルフカスタマイズ眼鏡２は、分離可能な組み立て型のセルフカスタマイズリムレス眼鏡のタイプである。すなわち、図１及び図２に第１の実施形態として示す本発明のセルフカスタマイズ眼鏡２は、眼鏡リムなしに磁力でつながったタイプであって、左右の眼鏡テンプル４と、その左右の眼鏡テンプル４に蝶合された左右のレンズ連結頭部６と、鼻当て８を有し、左右の眼鏡レンズ１２を共同でつなぐブリッジ部１０と、一対の眼鏡レンズ１２から構成され、各部の分離及び磁力による組み立て固定を行うことができる。
【００３１】
ブリッジ部１０の両側の側壁には眼鏡レンズ１２が挿入されて磁力で止着可能な磁力付着溝部１４を有し、磁力付着溝部１４の内壁には磁石１５が埋着される。また、眼鏡テンプル４と蝶合された左右のレンズ連結頭部６の各内側壁には、左右眼鏡レンズ１２の外郭部が挿入されて磁力で止着可能な磁力付着溝部１６を有し、磁力付着溝部１６の内壁には磁石１７が埋着される。
【００３２】
図２においては、磁石１５、１７は、磁力付着溝部１４、１６の一方の内壁部に埋め込まれることを例示しているが、磁力付着溝部１４、１６の前後の向かい合う両側の内壁部に埋設されてもよく、磁力付着溝部１４、１６の奥側の内壁部にまで埋設されてもよいということはいうまでもない。なお、磁石１５、１７は、磁石片のタイプに構成されてもよく、ブリッジ部１０やレンズ連結頭部６が樹脂の材質から製作される場合、樹脂に磁石粉が混合されて構成されてもよい。
【００３３】
図２においては、左右のレンズ連結頭部６の磁力付着溝部１７の内壁に埋設された磁石１７は、磁力付着溝部１７の一方の内壁部と奥側の内壁部には埋設されたことを例示しているが（図６参照）、必要に応じて、磁力付着溝部１４の前方の内壁部にも埋設されてもよいということはいうまでもない。
【００３４】
このようなレンズ連結頭部６の磁力付着溝部１６とブリッジ部１０の磁力付着溝部１４には、眼鏡リムの支持なしにも、左右の各眼鏡レンズ１２の左右の側端部が磁力で止着されるが、このために、各眼鏡レンズ１２の左右の側端部には本発明でのように磁力付着のための磁力部材１８が存在する。
【００３５】
図２においては、左右の各眼鏡レンズ１２の左右の両側ｆの端部に存在する磁力部材１８として透明磁石膜１８ａを例示しており、上下に帯状に延設される。
【００３６】
図２に示す磁力部材１８として上下に帯状に延びてコーティング形成された透明磁石膜１８ａは、二酸化チタン（ＴｉＯ２）に磁石としての性質を有するコバルト原子を数パーセント（％）添加したコバルト入り二酸化チタン膜（Ｃｏ：ＴｉＯ２）として実現可能であり、コバルト入り二酸化チタン膜（Ｃｏ：ＴｉＯ２）は、室温だけではなく、高い温度でも磁石を性質を失わずに可視光に対して略透明な性質を有する。コバルト入り二酸化チタン膜（Ｃｏ：ＴｉＯ２）からなる透明磁石膜１８ａは、常温下で強磁性体となる。
【００３７】
図３は、左右の各眼鏡レンズ１２の左右の両側ｆの端部に存在する磁力部材１８であって、磁石や鉄心などの磁性片１８ｂが植込されて配列されたことを示しており、上下に多数延設される。
【００３８】
このような構成の本発明のセルフカスタマイズ眼鏡２は、眼鏡リムなしにも磁気力で眼鏡テンプル４のレンズ連結頭部６とブリッジ部１０との間に眼鏡レンズ１２が挿入された後、取着されることにより組み立てが完了する。
【００３９】
図６の（ａ）は、眼鏡レンズ１２が眼鏡テンプル４のレンズ連結頭部６に形成された磁力付着溝部１６に挿入された後、磁力で固定された平断面図を示しており、図６の（ｂ）は、眼鏡レンズ１２がブリッジ部１０に形成された磁力付着溝部１４に挿入された後、磁力で固定された平断面図を示している。
【００４０】
図４は、図２に示す眼鏡レンズ１２の透明磁石膜１８ａがレンズ連結頭部６の磁力付着溝部１６の内側壁に埋め込まれた磁石１７に磁力で固定されたセルフカスタマイズ眼鏡２の側断面図を示しており、図５は、図３に示す眼鏡レンズ１２の磁性片１８ｂがレンズ連結頭部６の磁力付着溝部１６の内側壁に埋め込まれた磁石１７に磁力で固定されたセルフカスタマイズ眼鏡２の側断面図を示している。
【００４１】
図１から図６と結び付けて説明した本発明の第１の実施形態においては、磁力付着溝部１６と眼鏡レンズ１２に形成された磁力部材１８を用いた磁力付着の構成について説明したが、変形例示として、図１４から図１７と結び付けて説明する本発明の第３の実施形態においては、眼鏡レンズ１２に磁力部材１８を形成せず、２つの磁石を用いた磁力付着の構成が採用可能であることを示している。
【００４２】
図１４から図１７は、本発明の第３の実施形態及び第４の実施形態によるセルフカスタマイズ眼鏡２であって、図１４は、本発明の第３の実施形態によるセルフカスタマイズ眼鏡２の斜視構成図であり、図１５は、図１４の要部の分解斜視構成図であり、図１６は、図１４のレンズ連結頭部６の縦断面構成図である。なお、図１７は、本発明の第３の実施形態によるセルフカスタマイズ眼鏡２におけるレンズ連結頭部６及びブリッジ部１０の平断面構成図である。
【００４３】
本発明の第３の実施形態によるセルフカスタマイズ眼鏡２の眼鏡レンズ１２には、図１から図６とは異なり、磁力部材１８がない。その代わりに、レンズ連結頭部６には磁力付着溝部１６がなく、磁石１７を有する頭部用の磁石固定部材６ａを別設する。また、ブリッジ部１０には磁力付着溝部１４がなく、磁石１５を有するブリッジ用の磁石固定部材１０ａを別設する。
【００４４】
頭部用の磁石固定部材６ａとブリッジ用の磁石固定部材１０ａは、別々になっているため、紛失の恐れがあり、そのため、必要に応じては、弾性もしくは非弾性の繋ぎ紐６２で対応レンズ連結頭部６と対応ブリッジ部１０に吊り下がるようにつないで構成してもよい。
【００４５】
このため、本発明の第３の実施形態によるセルフカスタマイズ眼鏡２は、各眼鏡レンズ１２の一方の周縁がレンズ連結頭部６に埋め込まれた磁石１７と頭部用の磁石固定部材６ａの磁石１７の引力（磁力）により保持され、各眼鏡レンズ１２の他方の周縁がブリッジ部１０に埋め込まれた磁石１５とブリッジ用の磁石固定部材１０ａの磁石１５の磁石の引力（磁力）により保持されるように構成されてもよい。
【００４６】
図１から図６と結び付けて上述したように、本発明によるセルフカスタマイズ眼鏡２は、眼鏡テンプル４のレンズ連結頭部６とブリッジ部１０との間に眼鏡レンズ１２が挿入された後、磁力で止着すると、着用者は本人の好みに合うように眼鏡レンズ１２の高低を上下に調整することができる。
【００４７】
このような眼鏡レンズ１２は、眼鏡リムから自由な状態であるため、眼鏡レンズのデザイン形状や模様をそれぞれ異ならせることができる。また、本発明においては、本人の個性や周りの環境や状況に合う眼鏡レンズ１２を自由に選定でき、左右レンズの形状や大きさ、色相を同じくしても、異ならせてもよく、さらに、組み立てや分解が行えるというメリットがある。
【００４８】
一方、本発明は、セルフカスタマイズ眼鏡２を構成する主な部位である、眼鏡テンプル４、レンズ連結頭部６、ブリッジ部１０、ひいては眼鏡レンズ１２の外周部（特に、上下側の外周部）に色相や模様、デザインを着用者が任意に表現できるように、図７に示すように、透明マイクロＬＥＤディスプレイスキン２０が外部に露出される表面部に被覆されるように形成する。
【００４９】
図７は、本発明によりセルフカスタマイズ眼鏡の外表面に透明マイクロＬＥＤディスプレイスキン２０が被覆されるように形成されることを説明するための図であって、例えば、左右の眼鏡テンプル４の外表面部（側方及び上方）、左右のレンズ連結頭部６の外表面（前方及び上方）、ブリッジ部１０の外表面（前方及び上方）、左右の眼鏡レンズ１２の外周部（特に、上下側の外周部）に透明マイクロＬＥＤディスプレイスキン２０が被覆されるように形成される。
【００５０】
眼鏡レンズ１２は、本発明により別々に容易に分離可能であるため、レンズの大きさを任意に選ぶことができ、透明マイクロＬＥＤディスプレイスキン２０が適用された左右のレンズ連結頭部６を有する左右の眼鏡テンプル４やブリッジ部１０もまた異なるデザインや色相、模様を表現可能にする。
【００５１】
マイクロＬＥＤディスプレイは、５〜１００μｍ（１０万分の１ｃｍである）の大きさの超小型ＬＥＤ粒子を基板（本発明においては、透明基板）に継ぎ当てたディスプレイであって、ＬＥＤチップそれ自体を画素（ピクセル）として活用して柔軟性があるか（ｆｌｅｘｉｂｌｅ）、丸く巻き取れる（ｒｏｌｌａｂｌｅ）画面を実現するのに適しており、ＯＬＥＤに比べて電力の消耗量ははるかに少ないため、長時間にわたって使用可能であり、既存のＯＬＥＤに比べても照度、彩度、電力効率性の面からみて、はるかに優れている。
【００５２】
本発明においては、このようなマイクロＬＥＤディスプレイをセルフカスタマイズ眼鏡２の表面部に被覆されるように取着するが、マイクロＬＥＤディスプレイが作動しない場合にも、セルフカスタマイズ眼鏡２が有する固有の色相がそのまま現われるように透明性と可撓性を併せ持つ透明基板２２を用い、マイクロＬＥＤチップからなる画素、すなわち、マイクロＬＥＤ画素２６もまた透明性を最大限に有するように構成する。
【００５３】
マイクロＬＥＤディスプレイは、数多くのマイクロＬＥＤ画素２６を有する半導体デバイス層２４がマイクロ転写印刷技術を用いて透明基板２２に移植形成される。このとき、転写印刷技術を行うにあたっても、ロール転写技術を用いて１秒当たりに１万個弱以上のマイクロＬＥＤ画素２６を透明基板２２に転写して付着可能にすることが好ましい。
【００５４】
マイクロＬＥＤ画素２６は、母（ｎａｔｉｖｅ）基板の上に用意された後、透明基板２２に転写印刷され、母基板及び不要な部分は除去される。
【００５５】
本発明の実施形態において、透明基板２２は、透明であり、及び／または、軟性である。透明基板２２は、５〜１０μｍ、５〜５０μｍ、５０〜１００μｍ、１００〜２００μｍ、２００〜５００μｍ、０．５〜１ｍｍ、１〜５ｍｍ、５〜１０ｍｍの厚さ範囲のうちのいずれか一つの厚さ範囲で選定される。
【００５６】
図８は、本発明の実施形態に適用された透明マイクロＬＥＤディスプレイスキン２０の構成図であり、透明性と可撓性を併せ持つ透明基板２２の上にマイクロＬＥＤ画素２６を有する半導体デバイス層２４が取設された構成である。
【００５７】
図８中、半導体デバイス層２４のマイクロＬＥＤ画素２６は、正電極層３１、透明導電層３２、透明ｐ−電極層３４、ｐ−ＧａＮ層３６、活性層３８、ｎ−Ｇａｎ層４０、及び上部の透明ｎ−電極層４２から構成され、各マイクロＬＥＤ画素２６の間には透明性絶縁層４４が形成される。半導体デバイス層２４に形成されたマイクロＬＥＤ画素２６のそれぞれは、ｐ−ｎダイオード層であって、スペクトル内の特定の領域に対応するバンドギャップを有する化合物半導体であり、本発明の例示においては、ＩＩＩ〜Ｖ属窒化物材料の代表的な一例である窒化ガリウム（ＧａＮ）から形成される。
【００５８】
透明ｐ−電極層３４は、電源の供給のためのものであり、透過率が７０％以上のＡｌ、Ｇａ、Ａｇ、Ｓｎ、Ｉｎ、Ｚｎ、Ｃｏ、Ｎｉ、Ａｕを含む酸化物から電極を形成し、正電極層９０は、回路パターンやバンプ、伝導性接着層となり、透明ｎ−電極層４２は、電気伝導性を有する。正電極層３１は、可視スペクトルに対して反射性を有する銀及びニッケルの群から選ばれ、潜在的な反射性ミラー層を形成する。
【００５９】
また、本発明は、赤色、緑色、及び青色を有する３種類の素子、すなわち、マイクロＬＥＤパネルを配列することで、透明マイクロＬＥＤディスプレイスキン２０をフルカラーで実現することができる。
【００６０】
図９は、本発明に適用される透明マイクロＬＥＤディスプレイスキン２０の駆動を示す一写真であり、透明マイクロＬＥＤディスプレイスキン２０が透明性を有するため、セルフカスタマイズ眼鏡２をなす各部［眼鏡テンプル１４、眼鏡レンズ１２、ブリッジ部１０、レンズ連結頭部６など］の本体の下地に存在したり映されたりした色相や文字を含めた模様がそのまま露出可能である。
【００６１】
さらに、本発明においては、眼鏡レンズ１２の全面にも、図３５から図５３に示す実施形態でのように、透明マイクロＬＥＤディスプレイスキン２０が貼着可能であり、図２及び図３に示すように、眼鏡レンズ１２上の外周部にのみ透明マイクロＬＥＤディスプレイスキン２０が貼着されてもよい。
【００６２】
図２及び図３に示すように、眼鏡レンズ１２の外周部にのみ透明マイクロＬＥＤディスプレイスキン２０が貼着されることにより、眼鏡レンズ１２の透明マイクロＬＥＤディスプレイスキン２０が作動しなければ、眼鏡レンズ１２しか見えないため、リムレス状を示し、眼鏡レンズ１２の外周の上部側の透明マイクロＬＥＤディスプレイスキン２０が作動すれば、眼鏡レンズ１２を用いたハーフリムの感じの表現を可能にし、眼鏡レンズ１２の外周の上下部側の両方の透明マイクロＬＥＤディスプレイスキン２０が一緒に作動すれば、眼鏡レンズ１２を用いたフルリムの感じ（まるで、眼鏡リムがあるかのような感じ）の表現も可能にする。
【００６３】
また、本発明においては、眼鏡レンズ１２がリムレス眼鏡であるため、組み立て式眼鏡リムも上覆いしてもよい。
【００６４】
本発明のセルフカスタマイズ眼鏡２は、眼鏡の各部に貼着された透明マイクロＬＥＤディスプレイスキン２０を作動するための構成回路を各部に組み込む。
【００６５】
図１０は、本発明によりセルフカスタマイズ眼鏡２の眼鏡テンプル４に組み込まれた本体マスター部３０の回路ブロック構成図であり、図１１は、本発明によりセルフカスタマイズ眼鏡２の眼鏡レンズ１２及びレンズ連結頭部６に形成された遠隔スレーブ５０の回路ブロック構成図である。
【００６６】
図１０を参照すると、本発明のセルフカスタマイズ眼鏡２の眼鏡テンプル４における本体マスター部３０は、電源スイッチ３２とＵＳＢケーブルを介して内蔵バッテリーの充電を行うための充電ポート３４、電源部３６、バッテリー３８を備え、且つ、レンズ連結頭部６及び眼鏡レンズ１２への電源の無線での供給のための無線電気コイルを有する電源無線供給部４０、スマートフォン（図１２の６０）のような外部機器や図１１の遠隔制御部５４との近距離無線通信のための近距離無線通信部４２及び眼鏡の色相及びデザインの表現のための制御を行うメイン制御部４４を備える。なお、エネルギーの自己生成のためのエネルギーハーベスト部４６も備えていてもよく、セルフカスタマイズ眼鏡２の外部の光の明るさを検出するための光検出部４８をも備える。
【００６７】
本発明においては、眼鏡テンプル４に組み込むメイン制御部４４のＩＣチップは、注文型半導体チップ（Ａｐｐｌｉｃａｔｉｏｎ  ｓｐｅｃｉｆｉｃ  ｉｎｔｅｇｒａｔｅｄ  ｃｉｒｃｕｉｔ；ＡＳＩＣ）として実現することが好ましく、無線電気とエネルギーハーベスト部４６の一例として、太陽電池（ｐｈｏｔｏｖｏｌｙａｉｃ）を用いたエネルギー供給が可能なように制御する。
【００６８】
図１１を参照すると、眼鏡テンプル４から供給される電源を無線で受信するためのレンズ連結頭部６や眼鏡レンズ１２の遠隔スレーブ５０は、無線電気アンテナー５２を備え、当該透明マイクロＬＥＤディスプレイスキン２０が駆動及び制御のためのＩＣチップタイプの遠隔制御部５４を備え、本体マスター部３０との超近接遠隔送受信のための遠隔送受信部６０を備える。
【００６９】
また、遠隔スレーブ５０は、エネルギーの自己生成のためのエネルギーハーベスト部５６を備えていてもよく、セルフカスタマイズ眼鏡２の外部の光の明るさを検出するための光検出部５８も備える。
【００７０】
遠隔制御部５４のＩＣ（ｉｎｔｅｇｒａｔｅｄ  ｃｉｒｃｕｉｔ）は、相補性の金属酸化膜半導体（ｃｏｍｐｌｅｍｅｎｔａｒｙ−ｍｅｔａｌ−ｏｘｉｄｅ  ｓｅｍｉｃｏｎｄｕｃｔｏｒ；ＣＭＯＳ）を用いてミクロン単位の集積回路を構成してもよい。ＩＣチップの面積は、最大１ｍｍ×１ｍｍであり、厚さは、最大０．５ｍｍである。
【００７１】
セルフカスタマイズ眼鏡２の眼鏡テンプル４に配備された電源無線供給部４０の無線電気コイルにおいて共振現象を通じて生じたパワーは、眼鏡レンズ１２やレンズ連結頭部６の無線電気アンテナー５２に受信され、遠隔制御部５４の制御を通じて受信されたパワーを眼鏡レンズ１２及びレンズ連結頭部６の透明マイクロＬＥＤディスプレイスキン２０の駆動に用いる。
【００７２】
レンズ連結頭部６及び眼鏡レンズ１２、眼鏡テンプル４にそれぞれ配備される光検出部（ｐｈｏｔｏｄｅｔｅｃｔｏｒ）４８においては、セルフカスタマイズ眼鏡２に印加される外部の光量を感知し、当該メイン制御部４４や遠隔制御部５４に印加し、当該メイン制御部４４や遠隔制御部５４は、その光量に基づいて、透明マイクロＬＥＤディスプレイスキン２０のディスプレイ輝度を制御する。セルフカスタマイズ眼鏡２の周りの昼夜による透明マイクロＬＥＤディスプレイスキン２０の輝度もまた、自動調節が行われ得る。
【００７３】
本発明による眼鏡レンズ１２は、振動磁場に基づいて、共振エネルギーを伝える概念の無線電気を受信することができ、無線送受信方式を通じて眼鏡レンズ１２などの各部の情報を眼鏡本体マスター部３０やスマートフォン６０などに渡すことができる。
【００７４】
図１０や図１１のエネルギーハーベスト部４６、５６は、周りのエネルギーを収穫する手段であって、別途のバッテリーの電源を供給せずとも電力を生成して内部の各部に供給する。エネルギーハーベスト部４６、５６は、光電素子、熱電素子、圧電素子及び無線電気変換素子のうちのいずれか一つまたはこれらの組み合わせから構成してもよい。
【００７５】
このため、本発明のセルフカスタマイズ眼鏡２は、最近のトレンドに合う様々な眼鏡のデザインが実現可能であり、透明マイクロＬＥＤディスプレイスキン２０を用いた眼鏡の色相及びデザインの表現を行うこともできる。セルフカスタマイズ眼鏡２は、色相が単に付けられたものではなく、途中で途切れていたり、彩度が変わったり、模様が変わったりするファッション眼鏡のデザインの創作演出が可能である。
【００７６】
図１２は、本発明により、セルフカスタマイズ眼鏡２とスマートフォン６０との間で、眼鏡のデザイン及び色相の変化が制御可能なことを示す構成図である。
【００７７】
本発明においては、セルフカスタマイズ眼鏡２がブルートゥース（登録商標）通信、Ｗｉ−Ｆｉ通信、ＮＦＣ通信、ＩＲ通信などの近距離無線通信方式を用いてスマートフォン６０と無線接続することができ、本発明によって、スマートフォン６０にダウンロードされたセルフカスタマイズ眼鏡２のデザイン及び色相のモバイルアプリケーションを駆動してデザイン及び色相の制御をすることにより、セルフカスタマイズ眼鏡２の色相及びデザインを表現することができる。
【００７８】
上述した本発明の第１の実施形態においては、組み立て式に適用したが、図１３に示すハーフリム眼鏡２００にも適用可能である。
【００７９】
図１３は、本発明の第２の実施形態によるハーフリム眼鏡２００に適用した斜視構成図であり、ハーフリム眼鏡２００の眼鏡リム２０２に眼鏡レンズ１２が磁力式で着脱可能であり、眼鏡テンプル４と、眼鏡リム２０２及び眼鏡レンズ１２に透明マイクロＬＥＤディスプレイスキン２０が形成された構成を有し、上述した方式により作動可能である。
【００８０】
図１８から図２４は、本発明の第４の実施形態から第７の実施形態に関するものであり、透明マイクロＬＥＤディスプレイスキン２０なしに構成されたセルフカスタマイズ眼鏡２に関連するものである。
【００８１】
図１８から図２４に示す本発明の第４の実施形態から第７の実施形態は、眼鏡構成品の分離及び組み立てを通じて色相または模様が変化可能なタイプで実現し、且つ、必要に応じて、眼鏡レンズの外郭部が組み立て式で上覆いされるように実現してもよい。
【００８２】
図１８は、本発明の第４の実施形態によるセルフカスタマイズ眼鏡２の斜視構成図であり、図１９は、図１８の要部の分解斜視図であり、図２０は、図１８のレンズ連結頭部６の縦断面構成図である。なお、図２１は、本発明の第４の実施形態によるセルフカスタマイズ眼鏡２におけるレンズ連結頭部６の平断面構成図（ａ）及びブリッジ部１０の部分平断面構成図（ｂ）である。
【００８３】
そして、図２２から図２６は、本発明の第５の実施形態に係る構成であり、図１８から図２１は、本発明の第６の実施形態に係る構成であり、図１８から図２３に係る本発明の第４の実施形態から変形された例示である。
【００８４】
本発明の第４乃至第６の実施形態によるセルフカスタマイズ眼鏡２は、分離可能な組み立て型のセルフカスタマイズリムレス眼鏡タイプの構成が基本型である。また、変形の実施形態であって、眼鏡リム付きセルフカスタマイズ眼鏡も採用可能である（図３３及び図３４がこれと関連している）。
【００８５】
図１８及び図１９に第４の実施形態として示す本発明のセルフカスタマイズ眼鏡２は、眼鏡リムなしに磁力でつながったタイプであり、左右の眼鏡テンプル４と、その左右の眼鏡テンプル４に蝶合された左右のレンズ連結頭部６と、鼻当て８を有し、左右の眼鏡レンズ１２を共同でつなぐブリッジ部１０と、一対の眼鏡レンズ１２から構成され、各部の分離及び磁力による組み立て固定を行うことができる。
【００８６】
図１８から図２１に示すように、磁石１７の埋め込まれたレンズ連結頭部６には、磁石１７の埋め込まれた頭部用の磁石固定部材６ａがレンズ連結頭部６と対をなして別設され、磁石１５の埋め込まれたブリッジ部１０には、磁石１５の埋め込まれたブリッジ用の磁石固定部材１０ａがブリッジ部１０と対をなして別設される。
【００８７】
頭部用の磁石固定部材６ａとブリッジ用の磁石固定部材１０ａは、別々になっているため、磁力により一対をなすレンズ連結頭部６の埋め込み磁石１７やブリッジ部１０の磁石１５には円滑に取着されるが、万が一の紛失の恐れがあるため、必要に応じて、図１９及び図２１に示すように、弾性もしくは非弾性の繋ぎ紐６２で対応レンズ連結頭部６と対応ブリッジ部１０に吊り下がるようにつないで構成してもよい。
【００８８】
このため、本発明の第４の実施形態によるセルフカスタマイズ眼鏡２は、各眼鏡レンズ１２の一方の周縁がレンズ連結頭部６に埋め込まれた磁石１７と頭部用の磁石固定部材６ａの磁石１７との間に働く磁石の引力（磁力）により保持され、各眼鏡レンズ１２の他方の周縁がブリッジ部１０に埋め込まれた磁石１５とブリッジ用の磁石固定部材１０ａの磁石１５の磁石の引力（磁力）により保持されるように構成されてもよい。
【００８９】
また、本発明の第４の実施形態においては、眼鏡レンズ１２の周縁には、磁石に付着可能な磁性片（鉄心など）が不要であり、耐傷付き性（ｓｃｒａｔｃｈ−ｒｅｓｉｓｔａｎｔ）及び耐指紋性（ｆｉｎｇｅｒｐｒｉｎｔ−ｒｅｓｉｓｔａｎｔ）を有するコーティング層をさらに形成してもよい。
【００９０】
本発明の第４の実施形態による眼鏡レンズ１２の周縁に耐傷付き性を持たせるための他の一例によれば、眼鏡レンズ１２と接触するレンズ連結頭部６及び頭部用の磁石固定部材６ａの面にウレタンなどの材質の引っ掻き防止被覆層が形成されるように構成してもよい。
【００９１】
そして、本発明の第４の実施形態においては、レンズ連結頭部６及びブリッジ部１０には頭部用の磁石固定部材６ａ間及びブリッジ用の磁石固定部材１０ａ間との磁力による引力が働くように、近付くときに左右の眼鏡レンズ１２を収容及び支持するための磁力付着溝部１６、１４が設けられ、相互間の整合を容易に取るために階段状の整合凹凸部１９も形成されるように構成する。
【００９２】
図１８から図２１に示す本発明の第５の実施形態によるセルフカスタマイズ眼鏡２は、眼鏡テンプル４のレンズ連結頭部６とブリッジ部１０との間に眼鏡レンズ１２が磁力付着溝部１６、１４及び整合凹凸部１９により安定的に挿入され、磁力により固定可能であり、着用者は、本人の好みに合わせて眼鏡レンズ１２の高低を上下に調整することができる。
【００９３】
図２２から図２６は、本発明の第５の実施形態に係る構成であり、図１８から図２１に係る本発明の第４の実施形態の整合凹凸部１９がないタイプに変形された例示である。
【００９４】
図２２は、本発明の第５の実施形態によるセルフカスタマイズ眼鏡の組立状態の斜視構成図であり、図２３は、本発明の第５の実施形態によるセルフカスタマイズ眼鏡２の要部の分解斜視図であり、図２４は、本発明の第５の実施形態によるセルフカスタマイズ眼鏡２のレンズ連結頭部６の縦断面構成図であり、図２５は、本発明の第５の実施形態によるセルフカスタマイズ眼鏡２におけるレンズ連結頭部６及びブリッジ部１０の部分平断面の分解構成図である。なお、図２６は、本発明の第５の実施形態によるセルフカスタマイズ眼鏡２の全体の平断面構成図である。
【００９５】
本発明の第５の実施形態においては、図２２から図２６に示すように、磁石１７が埋め込まれたレンズ連結頭部６には、磁石１７の埋め込まれた頭部用の磁石固定部材６ａがレンズ連結頭部６と対をなして別設され、磁石１５の埋め込まれたブリッジ部１０は、磁石１５の埋め込まれたブリッジ用の磁石固定部材１０ａがブリッジ部１０と対をなして別設される。そして、レンズ連結頭部６と頭部用の磁石固定部材６ａの内面には、凹凸構造［整合凹凸部１０がない］ではなく、平らな形状であって、面接触する構成であり、繋ぎ紐６２の連結構成もなく、組み立ての際に磁力付着溝部１６、１４の提供もない。
【００９６】
このような本発明の第５の実施形態のような場合には、眼鏡レンズ１２は眼鏡リムから自由であり、磁力付着溝部１６、１４からも自由な状態であるため、眼鏡レンズ１２のデザインの形状や模様、大きさを図２２及び図２３に示す一例のように左右で互いに異ならせてもよい。
【００９７】
また、眼鏡レンズ１２上における固定位置、すなわち、レンズ連結頭部６と頭部用の磁石固定部材６ａとの間の磁力固定位置やブリッジ部１０とブリッジ用の磁石固定部材１０ａとの間の磁力固定位置を着用者が任意に設定することもできる。図２２においては、一方（図面の右側）の眼鏡レンズ１２が他方の眼鏡レンズ１２とは異なり、レンズ中央に近い周縁を磁力固定位置としている。
【００９８】
このような本発明においては、本人の個性や周りの環境や状況に合う眼鏡レンズ１２を自由に選定できるが、左右のレンズの形状や大きさ、色相を同じくしても、互いに異ならせてもよく、連結組立と分解、レンズ取付位置の変動などを任意に行うことができるというメリットがある。
【００９９】
図２７は、本発明の第６の実施形態によるセルフカスタマイズ眼鏡２の組立状態の斜視構成図であり、図２８は、図２７の分解斜視構成図であり、図２９は、本発明の第６の実施形態における眼鏡レンズ１２の変形例示図である。また、図３０は、図２７に示す眼鏡レンズ１２を磁力で固定したセルフカスタマイズ眼鏡の側断面図であり、図３１は、本発明の第７の実施形態にいて、図２９のような眼鏡レンズ１２を磁力で固定したセルフカスタマイズ眼鏡の側断面図であり、図３２は、本発明の第６の実施形態によるセルフカスタマイズ眼鏡２におけるレンズ連結頭部６及びブリッジ部１０の部分平断面構成図である。
【０１００】
本発明の第６の実施形態によるセルフカスタマイズ眼鏡２は、ブリッジ部１０の左右の側壁には、眼鏡レンズ１２の外郭部が挿入されて磁力で止着可能な磁力付着溝部１４を有し、磁力付着溝部１４の内壁には磁石１５が埋着される。そして、眼鏡テンプル４と蝶合された左右のレンズ連結頭部６の各内側壁には左右眼鏡レンズ１２の外郭部が挿入されて磁力で止着可能な磁力付着溝部１６を有し、磁力付着溝部１６の内壁には磁石１７が埋着される構成である。
【０１０１】
図２８及び図３０並びに図３１の一例においては、磁石１５、１７は磁力付着溝部１４、１６の一方の内壁部には埋設されたことを例示しているが、磁力付着溝部１４、１６の前後の向かい合う両側の内壁部に埋設されてもよく、磁力付着溝部１４、１６の奥側の内壁部まで埋設されてもよいということはいうまでもない。
【０１０２】
そして、磁石１５、１７は、磁石片のタイプに構成されてもよく、ブリッジ部１０やレンズ連結頭部６が樹脂の材質から構成される場合、樹脂に磁石粉末が混合されて構成されてもよい。
【０１０３】
図２８及び図３０においては、左右のレンズ連結頭部６の磁力付着溝部１７の内壁に埋設された磁石１７は、磁力付着溝部１７の一方の内壁部と深部の内壁部には埋設されたことを例示しているが（図３２を一緒に参照）、必要に応じて、磁力付着溝部１４の前方の内壁部にも埋設されてもよいということはいうまでもない。
【０１０４】
このようなレンズ連結頭部６の磁力付着溝部１６とブリッジ部１０の磁力付着溝部１４には、眼鏡リムの支持なしにも左右の各眼鏡レンズ１２の左右の側端部が磁力で取着されるが、このために、各眼鏡レンズ１２の左右の側端部には、本発明のように、磁力での付着のための磁力部材１８が存在する。
【０１０５】
図２８においては、左右の各眼鏡レンズ１２の左右の両側ｆの端部に存在する磁力部材１８として透明磁石膜１８ａを示しており、上下に帯状に延設される。
【０１０６】
図２８に示す磁力部材１８として上下に帯状に延びてコーティング形成された透明磁石膜１８ａは、二酸化チタン（ＴｉＯ２）に磁石としての性質を有するコバルト原子を数パーセント（％）［１％以上１０％未満］添加したコバルト入り二酸化チタン膜（Ｃｏ：ＴｉＯ２）として実現可能であり、コバルト入り二酸化チタン膜（Ｃｏ：ＴｉＯ２）は、室温だけではなく、高い温度でも磁石の性質を失わずに可視光に対して略透明な性質を有する。コバルト入り二酸化チタン膜（Ｃｏ：ＴｉＯ２）からなる透明磁石膜１８ａは、常温下で強磁性体となる。
【０１０７】
図２９においては、左右の各眼鏡レンズ１２の左右の両側ｆの端部に存在する磁力部材１８として磁石や鉄心などの磁性片１８ｂが植込されて配列されたことを示しており、上下に多数延設される。
【０１０８】
図３０は、図２８に示す眼鏡レンズ１２の透明磁石膜１８ａがレンズ連結頭部６の磁力付着溝部１６の内側壁に埋め込まれた磁石１７に磁力で固定されたセルフカスタマイズ眼鏡２の側断面図であり、図３１は、図２９に示す眼鏡レンズ１２の磁性片１８ｂがレンズ連結頭部６の磁力付着溝部１６の内側壁に埋め込まれた磁石１７に磁力で固定されたセルフカスタマイズ眼鏡２の側断面図である。
【０１０９】
このような構成の本発明の第６の実施形態によるセルフカスタマイズ眼鏡２は、眼鏡リムなしでも磁気力で眼鏡テンプル４のレンズ連結頭部６とブリッジ部１０との間に眼鏡レンズ１２が挿入された後に止着されることにより組み立てが仕上がる。
【０１１０】
図３２の（ａ）においては、眼鏡レンズ１２が眼鏡テンプル４のレンズ連結頭部６に形成された磁力付着溝部１６に挿入された後、磁力で固定された平断面図を示しており、図３２の（ｂ）においては、眼鏡レンズ１２がブリッジ部１０に形成された磁力付着溝部１４に挿入された後、磁力で固定された平断面図を示している。
【０１１１】
図２７から図３２と結び付けて説明した本発明の第６の実施形態においては、磁力付着溝部１６と眼鏡レンズ１２に形成された磁力部材１８を用いて磁力で付着することができる。
【０１１２】
図１８から図３２と結び付けて上述したような本発明は、セルフカスタマイズ眼鏡２は、眼鏡テンプル４のレンズ連結頭部６とブリッジ部１０との間に眼鏡レンズ１２が挿入された後、磁力で止着することにより、着用者は本人の好みに合わせて眼鏡レンズ１２の高低を上下に調整することができる。
【０１１３】
このような眼鏡レンズ１２は、眼鏡リムから自由な状態であるため、眼鏡レンズのデザインの形状や模様をそれぞれ異ならせることができる。また、本発明においては、本人の個性や周りの環境や状況に合う眼鏡レンズ１２を自由に選定でき、左右のレンズの形状や大きさ、色相を同じくしても、異ならせてもよく、連結組立及び分解を行うことができるというメリットがある。
【０１１４】
また、本発明においては、図３３に示すように、図１８のようなセルフカスタマイズ眼鏡２の眼鏡レンズ１２の上部や下部のうちのどちらか一方以上に組み立てリム２０４、２０６を嵌め込んでハーフリムタイプやフルリムタイプとして表現されるように構成してもよい。
【０１１５】
上述したように、本発明は、眼鏡リムが現れないように作る最近のトレンドに応えて、眼鏡リムをなくしてもよく、また、必要に応じて、ハーフリムやフルリムのタイプの眼鏡リムを飾りとして組み立て固定してもよい。
【０１１６】
一方、上述した透明マイクロＬＥＤディスプレイスキン２０なしに構成された本発明の実施形態においては、眼鏡テンプル４と、レンズ１２及びブリッジ部１０間の組み立て式を適用したが、図３４に示す本発明の第７の実施形態のセルフカスタマイズ眼鏡のように、眼鏡テンプル４とつながる左右の半割れ眼鏡リム２１０を有して、ブリッジ部に切断面が形成されるように構成し、半割れブリッジ切断壁面には磁石２１２が埋め込まれて互いに磁力で付着するように構成される眼鏡レンズ１２は、左右の半割れ眼鏡リム２１０の各嵌合溝に磁力により止着されるように構成してもよい。
【０１１７】
眼鏡リムを有する具体的な例示によれば、本発明の第７の実施形態においては、左右の半割れ眼鏡リム２１０を有して、ブリッジ部に切断面が形成されるように構成し、左右の半割れブリッジ切断壁面のそれぞれには磁石２１２が埋め込まれるように構成する。眼鏡レンズ１２の外周部には磁性部材１８を選択的に形成し、半割れの眼鏡リム２１０の眼鏡レンズ１２の嵌合溝には別途の磁石１７を埋め込んで磁力による止着が行われるように構成してもよい。なお、必要に応じて、半割れの眼鏡リム２１０と磁石２１４により磁力で付着する下部の組み立てリム２０６をさらに備えていてもよい。
【０１１８】
このような本発明のセルフカスタマイズ眼鏡は、通常の眼鏡が占める空間よりもはるかに小さな眼鏡保管ケースにも保管可能であるため、保管と携帯が便利であるというメリットもある。
【０１１９】
図３５から図５３は、本発明の第８乃至第１０の実施形態に係るものであり、眼鏡レンズ１２に透明マイクロＬＥＤディスプレイスキン２０を被覆した構成である。
【０１２０】
図３５から図５３に示すように、本発明の第８乃至第１０の実施形態においては、透明マイクロＬＥＤディスプレイスキン２０を被覆することで、上記の透明マイクロＬＥＤディスプレイスキン２０を用いて眼鏡レンズ１２の上に様々な模様と色相を形成することができるため、これまで眼鏡のタイプとして存在しなかった着用者の状況に適した役割と効果を出せる新たな概念の眼鏡となるようにする。
【０１２１】
そして、着用者が眼鏡レンズ１２の上に任意でデザインの装着を演出し、色相及び模様を変更することができて、この世の中に一つしかないセルフカスタマイズ眼鏡となるようにして、眼鏡の既存の概念を超えて新たな概念の眼鏡を創造する。
【０１２２】
図３５は、本発明の第８の実施形態によるセルフカスタマイズ眼鏡２の組立状態の斜視構成図であり、図３６は、本発明の第８の実施形態によるセルフカスタマイズ眼鏡２の拡大状態の斜視構成図であり、図３７は、図３６の分解斜視構成図である。
【０１２３】
そして、図３８は、図３６に示すセルフカスタマイズ眼鏡２の横断面構成図であり、図３９は、本発明の第８の実施形態によるセルフカスタマイズ眼鏡２のレンズ連結頭部６の縦断面構成図であり、図４０は、本発明の第８の実施形態によるセルフカスタマイズ眼鏡２におけるレンズ連結頭部６及びブリッジ部１０の部分平断面の分解構成図である。
【０１２４】
図３５から図４０に示す本発明の第８の実施形態によるセルフカスタマイズ眼鏡２は、分離可能な組み立て型のセルフカスタマイズリムレス眼鏡タイプの構成であり、眼鏡レンズ１２には、透明マイクロＬＥＤディスプレイスキン２０が被覆されるように構成する。
【０１２５】
すなわち、図３５から図４０に例示する本発明のセルフカスタマイズ眼鏡２は、眼鏡リムなしに磁力でつながったタイプであり、左右の眼鏡テンプル４と、その左右の眼鏡テンプル４に蝶合された左右のレンズ連結頭部６と、鼻当て８を有し、左右の眼鏡レンズ１２を共同でつなぐブリッジ部１０と、一対の眼鏡レンズ１２から構成され、各部の分離及び磁力による組み立て固定を行うことができる。
【０１２６】
図３５から図３８に示すように、磁石１７の埋め込まれたレンズ連結頭部６には、磁石１７の埋め込まれた頭部用の磁石固定部材６ａがレンズ連結頭部６と対をなして別設され、磁石１５の埋め込まれたブリッジ部１０には、磁石１５の埋め込まれたブリッジ用の磁石固定部材１０ａがブリッジ部１０と対をなして別設される。
【０１２７】
眼鏡テンプル４とつながった頭部用の磁石固定部材６ａとブリッジ用の磁石固定部材１０ａは、それぞれ別々になっているため、磁力により一対をなすレンズ連結頭部６の埋め込み磁石１７やブリッジ部１０の磁石１５には円滑に止着されるが、万が一の紛失の恐れがあるため、必要に応じて、弾性もしくは非弾性の繋ぎ紐でつないでもよい。
【０１２８】
このような本発明の好適な実施形態によるセルフカスタマイズ眼鏡２は、各眼鏡レンズ１２の一方の周縁がレンズ連結頭部６に埋め込まれた磁石１７と頭部用の磁石固定部材６ａの磁石１７との間に働く磁力により保持され、各眼鏡レンズ１２の他方の周縁がブリッジ部１０に埋め込まれた磁石１５とブリッジ用の磁石固定部材１０ａの磁石１５との間に働く磁力により保持される。
【０１２９】
本発明の実施形態においては、レンズ連結頭部６と眼鏡レンズ１２との固定及びブリッジ部１０と眼鏡レンズ１２との固定が磁力により保持されることを好適な実施形態として言及したが、磁力による保持に加えて、嵌合構造や係合構造によって保持されてもよい。
【０１３０】
眼鏡レンズ１２は、ガラス材質から構成されてもよいが、眼鏡用のプラスチック材質から構成されることが好ましく、表面に耐傷付き性（ｓｃｒａｔｃｈ−ｒｅｓｉｓｔａｎｔ）及び耐指紋性（ｆｉｎｇｅｒｐｒｉｎｔ−ｒｅｓｉｓｔａｎｔ）を有するコーティング層をさらに形成してもよく、耐傷付き性を高めるための硬さのあるハードコーティング層を形成することも可能である。
【０１３１】
また、本発明の第８の実施形態により眼鏡レンズ１２の周縁に磁力固定構造による耐傷付き性を持たせるために、眼鏡レンズ１２に接触するレンズ連結頭部６の接触内面及び頭部用の磁石固定部材６ａの接触内面やブリッジ部１０の接触内面及びブリッジ用の磁石固定部材１０ａの接触内面にウレタンなどの引っ掻き防止被覆層がさらに形成されてもよい。
【０１３２】
本発明が、セルフカスタマイズ眼鏡２において、眼鏡テンプル４のレンズ連結頭部６とブリッジ部１０との間に眼鏡レンズ１２が位置した後、磁力で止着すると、着用者は、本人の好みに合うように眼鏡レンズ１２の高低を上下に調整することができる。
【０１３３】
このような眼鏡レンズ１２は、眼鏡リムから自由な状態であるため、眼鏡レンズのデザインの形状や模様をそれぞれ異ならせることができる。また、本発明においては、本人の個性や周りの環境や状況に合う眼鏡レンズ１２を自由に選定でき、左右のレンズの形状や大きさを同じくしても、異ならせてもよく、連結組立と分解を行うことができる。
【０１３４】
すなわち、眼鏡レンズ１２は、眼鏡リムから自由であり、磁力付着溝部１６、１４からも自由な状態であるため、眼鏡レンズ１２のデザインの形状や模様、大きさを図３６及び図３７に示す一例のように左右で互いに異なるようにできる。また、眼鏡レンズ１２上における固定位置、すなわち、レンズ連結頭部６と頭部用の磁石固定部材６ａとの間の磁力固定位置やブリッジ部１０とブリッジ用の磁石固定部材１０ａとの間の磁力固定位置を図３６から図３８に例示する一例のように着用者が任意に設定することができる。
【０１３５】
また、本発明においては、本人の個性や周りの環境や状況に合う眼鏡レンズ１２を自由に選定できるが、左右のレンズの形状や大きさを任意に選ぶことができるだけではなく、図３５から図４１に示すように、眼鏡レンズ１２の上に透明マイクロＬＥＤディスプレイスキン２０を被覆することにより、その透明マイクロＬＥＤディスプレイスキン２０を用いて普段は眼鏡レンズ機能はそのままにしながらも、眼鏡レンズ１２の上に様々な色相と模様またはデザインを形成することができ、着用者が必要とする役割と効果を出せる機能を実現することができる。
【０１３６】
図４１は、本発明の第８の実施形態によりセルフカスタマイズ眼鏡の外表面に透明マイクロＬＥＤディスプレイスキン２０が被覆されるように形成されることを説明するための図であって、左右眼鏡レンズ１２の上に、外部に色相と模様、デザインがディスプレイ表現可能な透明マイクロＬＥＤディスプレイスキン２０を取着する。
【０１３７】
透明マイクロＬＥＤディスプレイスキン２０の被覆された眼鏡レンズ１２は、本発明の第８の実施形態により独立して容易に分離可能であるため、左右レンズ大きさを着用者が任意に選ぶことができ、透明マイクロＬＥＤディスプレイスキン２０が形成されていない他の眼鏡レンズに取り替えることができる。
【０１３８】
マイクロＬＥＤディスプレイは、５〜１００μｍ（１０万分の１ｃｍである）の大きさの超小型ＬＥＤ粒子を基板（本発明においては、透明基板）に継ぎ当てたディスプレイであって、ＬＥＤチップそれ自体を画素（ピクセル）として活用して柔軟性があるか（ｆｌｅｘｉｂｌｅ）、丸く巻き取れる（ｒｏｌｌａｂｌｅ）画面を実現するのに適しており、ＯＬＥＤに比べて電力の消耗量ははるかに少ないため、長時間にわたって使用可能であり、既存のＯＬＥＤに比べても照度、彩度、電力効率性の面からみて、はるかに優れている。
【０１３９】
本発明においては、このような透明マイクロＬＥＤディスプレイスキン２０をセルフカスタマイズ眼鏡２の全体の表面部に被覆されるように貼着する。本発明の透明マイクロＬＥＤディスプレイスキン２０は、マイクロＬＥＤディスプレイが作動しない場合でも、眼鏡レンズ１２が眼鏡レンズの役割をそのまま果たせるように透明性と可撓性を併せ持つ透明基板２２を用い、マイクロＬＥＤチップからなる画素、すなわち、マイクロＬＥＤ画素２６も透明性を最大限に有するように構成する。
【０１４０】
また、眼鏡レンズ１２に被覆された透明マイクロＬＥＤディスプレイスキン２０の画素数が調節されるように配置して（すなわち、画面の解像度を低く調節して）透明マイクロＬＥＤディスプレイスキン２０が作動してデザインの形状が表現されているとしても、着用者が前方を注視するのに問題がないようにする。
【０１４１】
このため、眼鏡レンズ１２の透明透明マイクロＬＥＤディスプレイスキン２０が作動しなければ、通常の眼鏡レンズ１２のタイプで使用することができ、眼鏡レンズ１２に被覆された透明マイクロＬＥＤディスプレイスキン２０が作動すれば、眼鏡レンズ１２を用いて外部に様々なデザインの表現や色相の表現及び機能の実現が可能であり、具体的な一例によれば、サングラスなどの機能も有することが可能である。
【０１４２】
眼鏡レンズ１２の透明マイクロＬＥＤディスプレイスキン２０にディスプレイされても、着用者はそのスキン２０が透明性を有するため、眼鏡レンズ１２を介して外部を見ることができる。
【０１４３】
本発明のセルフカスタマイズ眼鏡２は、眼鏡レンズ１２に被覆された透明マイクロＬＥＤディスプレイスキン２０を作動するための構成回路を、図４１に示すように、眼鏡テンプル４や眼鏡レンズ１２に備える。
【０１４４】
図４２は、本発明の第８の実施形態によりセルフカスタマイズ眼鏡２の眼鏡テンプル４に組み込まれた本体マスター部４３０の回路ブロック構成図であり、図４３は、本発明の第８の実施形態によりセルフカスタマイズ眼鏡２の眼鏡レンズ１２に配備された遠隔スレーブ５０の回路ブロック構成図である。
【０１４５】
図４２に示す本体マスター部３０の構成は、図１０に示す本体マスター部３０の構成と略同様であるが、図１０にはセルフカスタマイズ眼鏡２の眼鏡テンプル４に透明マイクロＬＥＤディスプレイスキン２０が被覆されているのに対し、図４２にはそれがないという点で相違する。
【０１４６】
そして、図４３に示す遠隔スレーブ５０の構成もまた、図１１に示す遠隔スレーブ５０の構成と略同様であるが、図１１には透明マイクロＬＥＤディスプレイスキン２０がレンズ連結頭部６及び眼鏡レンズ１２に被覆されているのに対し、図４３には透明マイクロＬＥＤディスプレイスキン２０が眼鏡レンズ１２に被覆されているという点で相違する。
【０１４７】
眼鏡レンズ１２や眼鏡テンプル４に配備される光検出部（ｐｈｏｔｏｄｅｔｅｃｔｏｒ）４８においては、セルフカスタマイズ眼鏡２に印加される外部の光量を感知し、当該メイン制御部４４や遠隔制御部５４に印加し、当該メイン制御部４４や遠隔制御部５４は、その光量に基づいて、透明マイクロＬＥＤディスプレイスキン２０がディスプレイ輝度を制御する。セルフカスタマイズ眼鏡２の周りの昼夜による透明マイクロＬＥＤディスプレイスキン２０の輝度もまた自動調節が行われ得る。
【０１４８】
本発明による眼鏡レンズ１２は、振動磁場に基づく共振エネルギーを伝える概念の無線電気を受信することができ、無線送受信方式を通じて眼鏡レンズ１２の情報を眼鏡本体マスター部３０やスマートフォン６０などに渡すことができる。
【０１４９】
眼鏡レンズ１２と本体マスター部３０との間の無線送受信方式や本体マスター部３０とスマートフォン６０との間の無線送受信方式、眼鏡レンズ１２とスマートフォン６０との間の無線送受信方式は、ＬＥＤから発せられる光の波長を用いて高い通信速度を実現するＬｉ−Ｆｉ技術を利用することもでき、特に、本発明のマイクロＬＥＤ技術を適用すれば、部品の小型化と軽量化がなお一層容易になる。
【０１５０】
このため、本発明のセルフカスタマイズ眼鏡２は、最近のトレンドに合う様々な眼鏡デザインが実現可能であり、眼鏡レンズ１２の全体に被覆された透明マイクロＬＥＤディスプレイスキン２０を用いた眼鏡色相及びデザインの表現を種々に行うことができる。
【０１５１】
図４４は、本発明の第８の実施形態により、セルフカスタマイズ眼鏡２とスマートフォン６０との間で、近距離遠隔制御を通じて眼鏡レンズ１２のデザイン及び色相の変化を制御可能なことを示す概念構成図である。
【０１５２】
本発明においては、セルフカスタマイズ眼鏡２の本体マスター部３０がブルートゥース（登録商標）通信、Ｗｉ−Ｆｉ通信、ＮＦＣ通信、ＩＲ通信、Ｌｉ−Ｆｉ通信などの近距離無線通信方式を用いてスマートフォン６０と無線接続することができる。そして、本発明の第８の実施形態によりスマートフォン６０にダウンロードされた眼鏡レンズのデザイン及び色相のモバイルアプリケーションの駆動によるデザイン及び色相制御指令に従い、本体マスター部３０は、セルフカスタマイズ眼鏡２の眼鏡レンズ１２の透明マイクロＬＥＤディスプレイスキン２０に眼鏡レンズ色相及びデザインが表現されるように無線制御を行う。
【０１５３】
また、本発明においては、飾りタイプと磁石固定片の役割を果たす眼鏡リム７０をさらに備えていてもよく、眼鏡リム７０にも透明マイクロＬＥＤディスプレイスキン２０が被覆されるように形成してもよい。このときには、本体マスター部３０は、セルフカスタマイズ眼鏡２の眼鏡レンズ（図５２の７０）の透明マイクロＬＥＤディスプレイスキン２０に眼鏡レンズの色相及びデザインが表現されるように無線制御を行う。
【０１５４】
図４５から図４９は、本発明の第８の実施形態によりマイクロＬＥＤディスプレイスキン２０を眼鏡レンズ１２に適用することから、眼鏡レンズ１２の全体の色相や表現デザインを瞬時に表現することを例示する図である。
【０１５５】
図４５は、本発明の第８の実施形態により眼鏡レンズ１２のマイクロＬＥＤディスプレイスキン２０にサングラスなどのカラーを表現して、そのカラーが付けられた状態におけるセルフカスタマイズ眼鏡２の例示である。
【０１５６】
セルフカスタマイズ眼鏡２内の眼鏡レンズ１２のマイクロＬＥＤディスプレイスキン２０が褐色で表現されれば、紫外線及び赤外線の遮断効果があり、光の散乱を防いでまぶしさを低減し、物品を鮮明に見ることができる。
【０１５７】
例えば、もしセルフカスタマイズ眼鏡２内の眼鏡レンズ１２の透明マイクロＬＥＤディスプレイスキン２０に薄い黒色で表現されれば、光の波長を均一に吸収して本来の色相が見えるようにし、まぶしさの防止効果が大きく、紫外線の遮断効果が高い。なお、セルフカスタマイズ眼鏡２内の眼鏡レンズ１２の透明マイクロＬＥＤディスプレイスキン２０に黄色で表現されれば、視野を明るくするので、夜間に活動する着用者に向いている。
【０１５８】
このような眼鏡レンズ１２を用いると、昼間や夜間における視力保護、道路や海辺、雪上のような周りの環境からの視力保護機能を有することが可能である。
【０１５９】
また、その他に、着用者が表現したがり、他の人に見せるデザイン及びカラーをセルフカスタマイズ眼鏡２内の眼鏡レンズ１２の透明マイクロＬＥＤディスプレイスキン２０に表現することができる。
【０１６０】
図４６においては、本発明の第８の実施形態により眼鏡レンズ１２のマイクロＬＥＤディスプレイスキン２０の外郭部に眼鏡リムが表現されるようにして、リムレスタイプの眼鏡レンズ１２にまるでフルリムやハーフリムのように眼鏡リムがあるかのような感じを与えるセルフカスタマイズ眼鏡２を例示している。
【０１６１】
そして、図４７は、本発明の第８の実施形態により眼鏡レンズ１２のマイクロＬＥＤディスプレイスキン２０に着用者が好む図形、例えば、国旗模様の図形やハートなどの図形が即時で表現されるようにできるということを示すセルフカスタマイズ眼鏡２の例示である。
【０１６２】
図４８は、本発明の第８の実施形態により眼鏡レンズ１２の透明マイクロＬＥＤディスプレイスキン２０にピンホール眼鏡（ｐｉｎｈｏｌｅ  ｇｌａｓｓｅｓ）などの視力矯正の用途に実現することができるということを示すセルフカスタマイズ眼鏡２の例示である。
【０１６３】
図４９は、本発明のセルフカスタマイズ眼鏡２の他の実施形態であって、左右の眼鏡レンズ１２に上覆い可能な構造の左右の上覆いレンズ１１をさらに備える構成である。
【０１６４】
図４９を参照すると、本発明の第８の実施形態により別設された左右の上覆いレンズ１１には、透明マイクロＬＥＤディスプレイスキン２０を無線で制御するための本体マスター部３０が眼鏡テンプル４に配備され、透明マイクロＬＥＤディスプレイスキン２０を駆動するための遠隔スレーブ５０は、上覆いレンズ１１に配備されるように構成する。
【０１６５】
すなわち、図４９に示すセルフカスタマイズ眼鏡２は、一対の眼鏡レンズ１２と、左右のレンズ連結頭部６につながった左右の眼鏡テンプル４と、鼻当て８と、が含まれ、左右の眼鏡レンズ１２を共同でつなぐブリッジ部１０が独立して磁力による互いの分離及び組み立て固定が可能なように構成し、また、左右の眼鏡レンズ１２に上覆い可能な構造の左右の上覆いレンズ１１をさらに備え、上覆いレンズ１１には透明マイクロＬＥＤディスプレイスキン２０が被覆されるように形成し、透明マイクロＬＥＤディスプレイスキン２０を無線で制御するための本体マスター部３０が眼鏡テンプル４に配備され、透明マイクロＬＥＤディスプレイスキン２０を駆動するための遠隔スレーブ５０が眼鏡レンズ１２に配備されるように構成したものである。
【０１６６】
図５０から図５２は、本発明の第９の実施形態によるセルフカスタマイズ眼鏡２であって、図５０は、組立状態の斜視構成図であり、図５１は、図５０の分解斜視構成図であり、図５２は、図５０の横断面構成図である。
【０１６７】
図５０から図５２に示す本発明の第９の実施形態によるセルフカスタマイズ眼鏡２は、分離及び組み立てが可能な組み立て型のセルフカスタマイズのリム付き眼鏡タイプの構成であり、眼鏡レンズ１２には透明マイクロＬＥＤディスプレイスキン２０が被覆されるように構成する。
【０１６８】
図５０から図５２に例示する本発明の第９の実施形態によるセルフカスタマイズ眼鏡２は、図３５から図４０に示す本発明の実施形態とは異なり、眼鏡リムがあり、磁力でつながったタイプであって、左右の眼鏡テンプル４と、その左右の眼鏡テンプル４に蝶合された左右のレンズ連結頭部６と、鼻当て８と、を有し、眼鏡レンズ１２が結合された左右の眼鏡リム７０を共同でつなぐブリッジ部１０と、左右の各眼鏡レンズ１２が結合された左右眼鏡リム７０と、から構成され、各部の分離及び磁力による組み立て固定を行うことができる。
【０１６９】
すなわち、本発明の他の実施形態によるセルフカスタマイズ眼鏡２は、眼鏡レンズ１２がそれぞれ結合された左右の眼鏡リム７０と、左右のレンズ連結頭部６につながった左右の眼鏡テンプル４と、鼻当て８と、が含まれ、左右の眼鏡リム７０を共同でつなぐブリッジ部１０が独立して磁力によって互いに分離及び組み立て固定が可能なように構成するが、左右の眼鏡リム７０に結合された眼鏡レンズ１２には外部に色相及びデザインがディスプレイ表現可能な透明マイクロＬＥＤディスプレイスキン２０が被覆されるように形成し、透明マイクロＬＥＤディスプレイスキン２０を無線で制御するための本体マスター部３０が眼鏡テンプル４に配備され、透明マイクロＬＥＤディスプレイスキン２０を駆動するための遠隔スレーブ５０が眼鏡リム７０に配備されるように構成したものである。
【０１７０】
図５０から図５２中、未説明符号７２、７４、７６は、磁力による固定用の磁石である。
【０１７１】
図５０から図５２に示す本発明の第９の実施形態によるセルフカスタマイズ眼鏡２において、透明マイクロＬＥＤディスプレイスキン２０が眼鏡レンズ１２に被覆された構成を説明したが、図５０から図５２に示すように、透明マイクロＬＥＤディスプレイスキン２０が眼鏡リム７０にさらに配備されてもよい。
【０１７２】
上述したような透明マイクロＬＥＤディスプレイスキン２０を眼鏡レンズ１２にのみ適用したり、眼鏡レンズ１２及び眼鏡リム７０の両方に適用したりするので、眼鏡レンズ１２単独や眼鏡レンズ１２及び眼鏡リム７０の全体に色相や表現デザインを瞬時に変更して表現することができる。
【０１７３】
図５３は、本発明の第１０の実施形態によるセルフカスタマイズ眼鏡２が変形された分解斜視構成図であり、左右の眼鏡リム７０のそれぞれは、磁力による分離及び組み立てが可能なようにカスタマイズリムのタイプに構成したものである。このとき、眼鏡リム７０は、飾りの役割を兼ね、磁力固定片の役割をも果たす。
【０１７４】
図５３においては、眼鏡リム７０がハーフリムタイプで組み立てられる構成を示しており、７０ａは、磁力によるハーフリムタイプの眼鏡リム７０に誂え向きに組み立てられる飾り眼鏡リムである。
【０１７５】
図５３中、未説明の符号２３０、２３２は、眼鏡リム７０と飾り眼鏡リム７０ａを磁力で固定するための磁石である。
【０１７６】
図５３の本発明の第１０の実施形態に示すように、本発明の第９の実施形態から変形するようにして、透明マイクロＬＥＤディスプレイスキン２０が眼鏡リム７０にも被覆されるように変形して形成してもよく、飾り眼鏡リム７０ａには、図５３のような飾り美を有する模様（星状、ハート状、薔薇の花状など）が被覆されるように構成してもよい。なお、必要に応じて、飾り眼鏡リム７０ａにも透明マイクロＬＥＤディスプレイスキン２０を被覆して様々なグラフィックを表現することもできる。
【０１７７】
図５３中、眼鏡リム７０と飾り眼鏡リム７０ａは、両方とも飾り用に構成してもよく、両方とも透明マイクロＬＥＤディスプレイスキン２０に形成してもよく、そのうちの一部のみが透明マイクロＬＥＤディスプレイスキン２０に形成してもよいということはいうまでもない。
【産業上の利用可能性】
【０１７８】
本発明は、ファッション眼鏡や機能性眼鏡など種々の眼鏡に適用可能である。
【図１】
2021521475.tif 000003
【図２】
2021521475.tif 000004
【図３】
2021521475.tif 000005
【図４】
2021521475.tif 000006
【図５】
2021521475.tif 000007
【図６】
2021521475.tif 000008
【図７】
2021521475.tif 000009
【図８】
2021521475.tif 000010
【図９】
2021521475.tif 000011
【図１０】
2021521475.tif 000012
【図１１】
2021521475.tif 000013
【図１２】
2021521475.tif 000014
【図１３】
2021521475.tif 000015
【図１４】
2021521475.tif 000016
【図１５】
2021521475.tif 000017
【図１６】
2021521475.tif 000018
【図１７】
2021521475.tif 000019
【図１８】
2021521475.tif 000020
【図１９】
2021521475.tif 000021
【図２０】
2021521475.tif 000022
【図２１】
2021521475.tif 000023
【図２２】
2021521475.tif 000024
【図２３】
2021521475.tif 000025
【図２４】
2021521475.tif 000026
【図２５】
2021521475.tif 000027
【図２６】
2021521475.tif 000028
【図２７】
2021521475.tif 000029
【図２８】
2021521475.tif 000030
【図２９】
2021521475.tif 000031
【図３０】
2021521475.tif 000032
【図３１】
2021521475.tif 000033
【図３２】
2021521475.tif 000034
【図３３】
2021521475.tif 000035
【図３４】
2021521475.tif 000036
【図３５】
2021521475.tif 000037
【図３６】
2021521475.tif 000038
【図３７】
2021521475.tif 000039
【図３８】
2021521475.tif 000040
【図３９】
2021521475.tif 000041
【図４０】
2021521475.tif 000042
【図４１】
2021521475.tif 000043
【図４２】
2021521475.tif 000044
【図４３】
2021521475.tif 000045
【図４４】
2021521475.tif 000046
【図４５】
2021521475.tif 000047
【図４６】
2021521475.tif 000048
【図４７】
2021521475.tif 000049
【図４８】
2021521475.tif 000050
【図４９】
2021521475.tif 000051
【図５０】
2021521475.tif 000052
【図５１】
2021521475.tif 000053
【図５２】
2021521475.tif 000054
【図５３】
2021521475.tif 000055
【国際調査報告】
2021521475.tif 000056
2021521475.tif 000057
2021521475.tif 000058
2021521475.tif 000059